(57)【特許請求の範囲】
【請求項１】
送信アンテナの近傍に滞在する視聴者が有する端末装置に向けて放送波を前記送信アンテナを介して送信するエリアワンセグ装置であって、
前記視聴者の数と、前記視聴者と前記送信アンテナとの距離とを識別する視聴者分布識別手段と、
前記視聴者の数に比例する値として与えられる第１の送信電力と、前記距離に比例した値として与えられる第２の送信電力とのうち、値が大きい一方に、前記送信アンテナを介して送信されるべき前記放送波の送信電力を設定する送信電力設定手段と
を備えたことを特徴とするエリアワンセグ装置。
【発明の詳細な説明】
【技術分野】
【０００１】
本発明は、エリアワンセグ放送において、視聴者の状況に応じて送信電力を可変にすることを特徴とするエリアワンセグ放送の送信機に関する。
【背景技術】
【０００２】
近年、免許申請をすることなく放送できる程度の微弱電波を使用したローカルなワンセグ放送（以下、エリアワンセグとよぶ）が普及している。これにともない、該エリアワンセグを利用して商品やサービスなどの宣伝広告をおこなう商業施設が増加している。特に、移動体や小型携帯端末向けのエリアワンセグを利用して商品やサービスなどの宣伝広告をおこなう放送システムが検討されている。
【０００３】
エリアワンセグサービスでは、一般の放送のような広い放送エリアではなく、例えば、数１０ｍから高々１、２ｋｍ程度、具体的には、駅構内、イベント施設などの狭いエリアに特化した情報を配信する。例えば、コンサート会場をエリアに設定し、当該ホール内において有用な情報（例えば、コンサート開始時刻、アーティスト情報、売店情報）や当該コンサート会場の利用者に対する付加価値情報（例えば、他のアーティストのコンサート情報）などを配信することができる。
【０００４】
このようなエリアワンセグを受信するために、エリアワンセグの放送周波数と、エリアワンセグの放送範囲を示す位置情報を有するメモリテーブルを端末機に設け、該メモリテーブルを参照することにより、現在位置で視聴可能なエリアワンセグの放送局を特定し、端末機の受信周波数をその放送周波数に自動的に設定する技術が開示されている（特許文献１参照）。
【０００５】
また、今いる場所がエリアワンセグサービスを提供している場所であるかどうかをユーザに簡便に報知する技術も開示されている（特許文献２参照）。これは、基地局が、放送サービス提供情報を送信し、該放送サービス提供情報に含まれる放送番組紹介情報を移動局の画面上に表示する手段であり、該手段によって、ユーザは今いる場所がエリアワンセグサービスを提供している場所であると認識することができる。
【先行技術文献】
【特許文献】
【０００６】
【特許文献１】特開２００６−１４１０３４号公報
【特許文献２】特開２０１０−１６６１５３号公報
【発明の概要】
【発明が解決しようとする課題】
【０００７】
しかるに、これら提案はエリアワンセグを効率的に受信するための受信機に関するものであり、エリアワンセグにおける送信機の送信制御に関する技術はまだ発展途上であり、放送電波の垂れ流し状態なのが現状である。
【０００８】
本発明はこれらの事実に鑑み、エリアワンセグの送信機の送信電力を増減させるなどの送信制御を効率的に行うことによって、不要波の送信の抑圧をしつつも、視聴を欲する利用者が問題無くエリアワンセグを視聴することが可能になる技術を提供するものである。
【課題を解決するための手段】
【０００９】
請求項１に記載のエリアワンセグ装置は、送信アンテナの近傍に滞在する視聴者が有する端末装置に向けて放送波を前記送信アンテナを介して送信する。視聴者分布識別手段は、
前記視聴者の数と、前記視聴者と前記送信アンテナとの距離とを識別する。送信電力設定手段は、前記視聴者の数に比例する値として与えられる第１の送信電力と、前記距離に比例した値として与えられる第２の送信電力とのうち、値が大きい一方に、前記送信アンテナを介して送信されるべき前記放送波の送信電力を設定する。
【発明の効果】
【００１４】
本発明によれば、エリアワンセグの送信機からの送信電力に関して、視聴者数や該送信機と視聴者の距離に応じて制御することが可能になるため、不要波の送出を抑圧でき、また、送信機の省電力化を実現できる。さらに、不要波送出の抑圧は、すなわち周波数の有効活用にも寄与する。
【図面の簡単な説明】
【００１５】
【図１】送信電力の増減によるワンセグ端末の受信可否を示した図である。
【図２】エリアワンセグの送信機と受信機の構成要素を示した図である。
【図３】画像解析手段を用いた視聴者把握装置を示した図である。
【図４】画像解析手段の一例を示した図である。
【図５】重量センサ手段を用いた視聴者把握装置を示した図である。
【図６】重量解析手段の一例を示した図である。
【図７】端末アプリケーションを用いた視聴者把握装置を示した図である。
【図８】電波強度を決定するためのグラフを示した図である。
【発明を実施するための形態】
【実施例】
【００１６】
本発明の好適な実施の形態について、図を参照して説明する。なお、本実施例は微弱電波によるエリアワンセグに関して説明するが、中継器と受信端末の距離はこれを限定するものではなく、従って従来の強電波によるデジタル放送に拡張することも可能である。
【００１７】
以下の説明においては、放送局が中継局に向けて送出する信号を放送信号とよび、中継局が受信端末に向けて送出する電波を放送波とよぶ。
【００１８】
本発明は、エリアワンセグの中継局の送信機が送信する電波強度を可変にすることによって、不要波の抑圧や周波数資源の有効活用を可能にするものであるが、図１は該電波強度による携帯ワンセグ受信機の受信可否を示したものである。
【００１９】
つまり、視聴可能エリアが１０３に相当する広さになる電波強度であれば、携帯ワンセグ受信機１０１ａと１０１ｂがエリアワンセグを受信でき、視聴可能エリアが１０５に相当する広さになる電波強度であれば、携帯ワンセグ受信機１０１ａがエリアワンセグを受信でき、視聴可能エリアが１０７に相当する広さになる電波強度であれば、携帯ワンセグ受信機１０１ａと１０１ｂと１０１ｃがエリアワンセグを受信できる。
【００２０】
このように、エリアワンセグの送信機の周囲にいる視聴者の送信機からの距離や数に応じて送信電力の制御を行うことによって、例えば視聴者が誰もいない時は送信機の電波放出を止めたり、視聴者が１人しかいない時は送信機の電波放出の強度を下げたりすることが可能になり、結果として不要波の抑圧や周波数資源の有効活用を図ることができる。
【００２１】
次に図２にエリアワンセグにおける送信機と受信機の構成要素を示す。番組制御装置２０１においては、視聴者の数やアンテナからの距離を受信する視聴者情報受信部２０７から伝送される情報を元に、放送波を送信するか否か、さらに送信電波強度などの放送情報をエリア算出部２０３が算出し、番組制御部２０５が該放送情報を併せて各エリアに設置された中継局に放送信号を送出する。
【００２２】
ここで、放送信号の送出は無線による電波放出に限るものではなく、例えばインターネットや専用線を使った有線による手段でも良く、番組コンテンツを有し番組制御装置２０１により番組を管理する放送局と、各エリアにおいてエリアワンセグを中継する中継局との接続方法は任意である。
【００２３】
次に、前記番組制御装置２０１から送出された放送信号及び放送情報は前記中継局であるところの放送装置２１０で受信される。該放送装置２１０は、前記のように有線あるいは無線で送信された放送信号を受信する受信部２１２と、送信アンテナ２２０の送信電力を制御する出力制御部２１３を有する。
【００２４】
送信アンテナ２２０から放射される微弱放送電波は視聴者受信端末２３０で受信され、視聴者２４０が該視聴者受信端末２３０の表示部を介してエリアワンセグを視聴する。そして、アンテナ２２０に隣接した位置に、視聴者把握装置２５０を設置する。
【００２５】
該視聴者把握装置２５０は種々の手段でアンテナ２２０周辺の視聴者を認識し、該視聴者とアンテナ２２０からの距離や人数を番組制御装置２０１の視聴者情報受信部２０７に送信する。ここで視聴者把握装置２０５は据え置き装置であり、放送装置２１０の近傍に設置するので、番組制御装置２０１との接続手段は、専用線やインターネット回線など、任意の手段でよい。
【００２６】
次に、視聴者把握装置２５０の動作について説明する。
【００２７】
（視聴者把握装置の実施例１）
図３はカメラを用いた視聴者把握装置の実施例である。放送波の送信アンテナ３０１の近傍に撮影用カメラ３０３と、該撮影用カメラ３０３による撮影データを解析する画像処理装置３０５を設置する。周囲には人物が５人存在し、人物３１０ａと人物３１０ｂと人物３１０ｃは移動しており、人物３２０ａと人物３２０ｂは足を止めている。なお、撮影用カメラには、赤外線カメラのような特殊な用途のものも含むものである。
【００２８】
撮影用カメラ３０３はアンテナ３０１の全周囲を撮影するものであり、時刻をずらして複数枚の撮影をして撮影画像の差分をとることによって、撮影レンズが１個であれば周囲で足をとめている人物の数を、また、撮影レンズが複数個であれば画像を幾何学的に立体として捉えられるので、周囲で足を止めている人物の数に加えて該人物に関して撮影用カメラ３０３からの距離も画像処理装置３０５で測定できる。
【００２９】
この場合は、撮影用カメラ３０３の周囲、つまり撮影用カメラ３０３がアンテナ３０１の近傍に設置してあればアンテナ３０１の周囲において、静止している人物をエリアワンセグの視聴者と捉え、移動している人物は通りすがりにすぎないものと捉える。
【００３０】
図４は撮影用カメラ３０３を用いた視聴者と非視聴者の判別方法を示した図である。時刻ｔの撮影画像４０１と時刻ｔ＋αの撮影画像４０３を用いて、その差分を計算することによって得られた４０５によれば、画像が消えた３２０ａは足を止めている人物であり、二重に映る３１０ａは移動している人物であることがわかる。
【００３１】
そして本発明では足を止めている人物を視聴者とみなすため、図３のアンテナ３０１の周囲に存在する視聴者は２名であることがわかる。なお、ここまでで差分とよんでいるものは差分の絶対値であり、計算結果が負であっても画像を表示している。
【００３２】
視聴者把握装置２５０は、画像処理装置３０５から得られた情報を集計し、アンテナ周辺で足を止めている人数とアンテナからの距離を番組制御装置２０１が有する視聴者情報受信部２０７に送信する。
【００３３】
（視聴者把握装置の実施例２）
図５は重量センサを用いた視聴者把握装置の実施例である。放送波の送信アンテナ３０１の近傍に重量センサ５０３と、該重量センサ５０３による重量増減データを解析する重量センサ情報処理装置５０１を設置する。周囲には人物が４人存在し、人物５１０ａと人物５１０ｂは重量センサの上に立っており、人物５２０ａと人物５２０ｂは重量センサの上には立っていない。
【００３４】
図６は重量センサ情報処理装置５０１の処理を示した図である。縦軸が重量センサが得る重量であり、横軸が経過時間である。図に示すように、時刻ａから時刻ｂまでは１人、時刻ｃから時刻ｄまでは１人、時刻ｄから時刻ｅまでは２人、時刻ｅから時刻ｆまでは１人を検出し、それ以外の時刻においては重量センサ５０３の上には人が乗っていないと決定できる。
【００３５】
本実施例においては、アンテナ３０１からの半径方向に関して、距離に応じて複数のエリアに分割し、それぞれのエリアに重量センサを設置すれば、該重量センサ情報処理装置が取得する人物数は、アンテナ３０１からの距離情報を含むものになる。
【００３６】
視聴者把握装置２５０は、重量センサ情報装置５０１から得られた情報を集計し、アンテナ周辺で足を止めている人数とアンテナからの距離を番組制御装置２０１が有する視聴者情報受信部２０７に送信する。
【００３７】
（視聴者把握装置の実施例３）
図７は端末アプリケーションを用いた視聴者把握装置の実施例である。エリアワンセグの視聴を欲する利用者が有する受信端末は、ＧＰＳ７０１とアプリケーション７０３とを備え、アプリケーション７０３は送信制御部７０５を介して視聴希望情報とＧＰＳ７０１が取得する位置情報を視聴者把握装置２５０に送信する。
【００３８】
アプリケーション７０３は、携帯端末にインストールして用いるタイプと、ブラウザを利用してＷＥＢから利用するタイプが存在するが、いずれのタイプであっても、視聴者把握装置２５０に対して、無線信号により情報を送信するように動作する。該無線信号は、ブルートゥースや赤外線など、様々な手段があり、本発明はこれを限定するものではない。
【００３９】
視聴者把握装置２５０は、携帯端末から送信された視聴希望情報とＧＰＳ７０１による位置情報を集計し、視聴を希望する利用者の人数とアンテナからの距離を番組制御装置２０１が有する視聴者情報受信部２０７に送信する。
【００４０】
以上、視聴者把握装置２５０の動作の一例として３種の実施例を示した。
【００４１】
番組制御装置２０１においては、視聴者情報受信部２０７が前記視聴者把握装置２５０からアンテナ周囲に存在する人物の数とアンテナ２２０からの距離を受信し、エリア算出部２０３は各エリアにおいて視聴を希望していると推測される人物の有無からエリアワンセグの放送が必要であるか否かを判断する。
【００４２】
さらに、前記視聴を希望していると推測される人物の数に比例し、あるいはアンテナ２２０からの距離に比例し、アンテナ２２０からの送信電力を増大させると判断する。
【００４３】
このようなエリア算出部２０３の判断により、番組制御部２０５から放送装置２１０に向けて、前記のように任意の有線あるいは無線信号で放送信号とアンテナ２２０が送信するべき電力を併せて送信する。
【００４４】
次に、アンテナ２２０からの送信電力の強度の決定手段の一例について、図８を参照して説明する。
【００４５】
図８（ａ）図はアンテナ２２０周囲の人数と送信する電波の電波強度の関係図である。このグラフにより、あるエリアでの電波強度がｘになるとする。
【００４６】
また、図８（ｂ）図はアンテナ周囲の複数の人物におけるアンテナ２２０との最長距離と送信する電波の電波強度の関係図である。このグラフにより、あるエリアでの電波強度がｙになるとする。
【００４７】
視聴したいと希望する人に対して、その要求に応えるため、本発明では一例として、ｘとｙのうち、電波強度の強い方を採用する手段をとる。ただし、前記３種の視聴者把握装置２５０の動作の実施例において、視聴者とアンテナ２２０の距離を取得せずに人数だけを取得する手段を用いた場合には、図８（ａ）のみで電波強度を決定する。
【００４８】
一般に、視聴者が複数存在する場合に、視聴者と視聴者の間には一定の間隔があるため、視聴者が多くなるほどアンテナ２２０との距離が離れていくことは容易に推定でき、前記のように人数だけを取得する手段であっても、決定された電波強度に大きな誤りはない。
【００４９】
以上説明したように、本発明は視聴者の位置を把握するための装置を送信アンテナ周辺に設置し、該装置が得る視聴者情報によって送信電波強度を決定し、エリアワンセグを放送するものであり、これにより不要な電波の送出を防ぐとともに、周波数の有効活用にも貢献できる。
【００５０】
なお、前記のように、本実施例は微弱電波によるエリアワンセグに関して説明したが、中継器と受信端末の距離はこれを限定するものではなく、従って従来の強電波によるデジタル放送に拡張した手段も本発明に含むものとする。
【符号の説明】
【００５１】
１０１ａ，１０１ｂ，１０１ｃ…携帯型ワンセグ受信機、
１０３，１０５，１０７…視聴可能エリア、
２０１…番組制御装置、  ２０３…エリア算出部、  ２０５…番組制御部、
２０７…視聴者情報受信部、  ２１０…放送装置、  ２１２…受信部、
２１３…出力制御部、  ２２０…アンテナ、  ２３０…視聴者受信端末、
２４０…視聴者、  ２５０…視聴者把握装置、  ３０１…送信アンテナ、
３０３…カメラ、  ３０５…画像処理装置、
３１０ａ，３１０ｂ，３１０ｃ…移動している人物、
３２０ａ，３２０ｂ…停止している人物、
４０１…時刻ｔの撮影画像、  ４０３…時刻ｔ＋αの撮影画像、
４０３…撮影画像の差分、  ５０１…重量センサ情報処理装置、
５０３…重量センサ、
５１０ａ，５１０ｂ…重量センサ上の人物、
５２０ａ，５２０ｂ…重量センサに乗っていない人物、
７０１…ＧＰＳ、  ７０３…アプリケーション、
７０５…送信制御部。
【図１】
0005643059.tif 000002
【図２】
0005643059.tif 000003
【図３】
0005643059.tif 000004
【図４】
0005643059.tif 000005
【図５】
0005643059.tif 000006
【図６】
0005643059.tif 000007
【図７】
0005643059.tif 000008
【図８】
0005643059.tif 000009